(57)【要約】  犬の訓練用首輪が、一緒に連結されて反対端を有する連結鎖を形成する複数の着脱可能な相互連結具を有しており、張力部材が連結鎖の反対端の間で連結されて首輪を形成する。着脱可能な締結具が含まれており、張力部材と連結鎖の少なくとも一方の反対端との間で着脱可能に連結する。相互連結具のそれぞれは、内側及び外側を有しており、内側が内側から離れるよう延びる１対のＶ形突起部を有する。複数のＶ形突起部対を有する連結鎖は、間隔を空けた関係で配置され内側から延びる２列のリンクを形成し、Ｖ形突起部が首に向いた状態で連結鎖が犬の首の周りに置かれ、装着時に張力部材の調整により身体的矯正を首に与えるように、着脱可能な締結具によって張力部材に結合されて首輪を形成する。使用される連結具の数を、犬の首の大きさに応じて調整し得る。捩れ防止器具が張力部材に連結され、犬の首に取り付けた場合に捩れ防止器具が首輪の意図しない捻れを戻す。【選択図】図１
2011515090.tif 000002
【特許請求の範囲】
【請求項１】
犬の訓練用首輪であって、
一緒に連結されて、反対端を有する連結鎖を形成する複数の着脱可能な相互連結具と；
前記連結鎖の前記反対端の間に結合されて首輪を形成する張力部材と；
前記張力部材と前記連結鎖の反対端の少なくとも一方との間に着脱可能に連結される着脱可能な締結具と；
を具えており、
前記相互連結具のそれぞれが内側及び外側を有し、前記内側が前記内側から離れるよう延びる１対のＶ形突起部を有し；
複数のＶ形突起対を有する前記連結鎖が、前記内側から延びるよう間隔を空けた関係で配置される２列のリンクを形成し；
これによって、前記連結鎖が、前記Ｖ形突起部が首に向いた状態で犬の首の周りに配置され、前記着脱可能な締結具によって前記張力部材に連結されて、装着した場合に前記張力部材の調整により身体的矯正を前記首に与えるように、前記首輪を形成することを特徴とする犬の訓練用首輪。
【請求項２】
前記犬の首の大きさに応じて、相互連結具の数によって前記複数の着脱可能な相互連結具を調整し得ることを特徴とする請求項１に記載の首輪。
【請求項３】
前記犬の首の大きさが変わる場合に、前記相互連結具の数を調整して新たな首の大きさに対応することを特徴とする請求項２に記載の首輪。
【請求項４】
前記張力部材に結合された捩れ防止器具を有しており、
これによって、前記捩れ防止器具が、前記犬の首に付けた場合に、前記首輪の意図しない捻れを戻すことを特徴とする請求項１に記載の首輪。
【請求項５】
前記捩れ防止器具及び前記着脱可能な締結具が、一体的に形成されていることを特徴とする請求項１に記載の首輪。
【請求項６】
前記捩れ防止器具及び前記着脱可能な締結具が、旋回スナップフックであることを特徴とする請求項５に記載の首輪。
【請求項７】
前記張力部材が、リングと、前記着脱可能な締結具及び前記連結鎖の少なくとも一端に移動可能に連結されたロープの輪と、
を有しており、
前記ロープが、前記リングに加わる引張力により前記リング、前記着脱可能な締結具及び前記連結鎖の少なくとも一端の間に張力が伝わるように、前記リングに連結された端部を有しており、前記少なくとも一端を引き付ける力を前記ロープを通して前記着脱可能な締結具に加えて前記身体的矯正を引き起こすことを特徴とする請求項１に記載の首輪。
【請求項８】
前記連結具のそれぞれが、第１及び第２の端部間で本体フレームの対向側部から且つ前記内側から離れるよう延びる間隔を空けた２つのＶ形突起部を支持する厚形の本体フレームによって結合される第１の端部及び第２の端部を有することを特徴とする請求項１に記載の首輪。
【請求項９】
各連結具の前記第１の端部が、前記本体フレームから離れるよう延びる２つのアームであって、それぞれ、金属ピンの負荷を支持するための広がった丸い自由端を有するアームと；
前記広がった丸い自由端の間を延びて、前記アームの前記広がった丸い自由端の中央に位置する開口部を通して摩擦嵌合により前記自由端に結合する金属ピンコネクタと；
を有することを特徴とする請求項８に記載の首輪。
【請求項１０】
各連結具の前記第２の端部が、別の連結具の補完的な第１の端部のピンを受容するためのフック突起部を有しており、
前記突起部が、前記突起部の外周面の周りを延びる互いに間隔を空けた関係のリブを有しており、前記リブが、前記フックの外周面の周りを延びることを特徴とする請求項９に記載の首輪。
【請求項１１】
前記フック突起部が、前記第１の端部の前記アーム間を摺動するよう通る幅を有し、溝部がヒンジを形成する場合に前記第１の端部のピンが通り得る溝部を有することを特徴とする請求項１０に記載の首輪。
【請求項１２】
前記溝部の入口部が、前記溝部から前記ピンが予期せずに抜け出るのを防止するようわずかに狭いことを特徴とする請求項１１に記載の首輪。
【請求項１３】
前記連結具が、射出成型されるプラスチックで作製され、
前記ピンが、鋼で作製されることを特徴とする請求項９に記載の首輪。
【請求項１４】
前記連結具の前記外側が、連結具の相互連結に役立つ摘み部を形成するように、凹んだ凹部を有することを特徴とする請求項１に記載の首輪。
【請求項１５】
前記連結鎖の前記反対端がそれぞれ、前記張力部材及び前記着脱可能な締結具への連結を強化するための端部連結具を有することを特徴とする請求項８に記載の首輪。
【請求項１６】
前記端部連結具のそれぞれが、前記第１及び第２の端部の間で、本体フレームの対向側部から且つ前記内側から離れるよう延びる、間隔を空けた２つのＶ形突起部を支持する厚形の本体フレームに結合される第１の端部及び第２の端部の少なくとも一方を有することを特徴とする請求項１５に記載の首輪。
【請求項１７】
さらに、前記端部連結具のそれぞれが、前記厚形の本体フレームに結合される張力部材繋ぎ部と、反対側の前記第１の端部及び第２の端部の少なくとも一方とを有することを特徴とする請求項１６に記載の首輪。
【請求項１８】
前記張力部材繋ぎ部が、開口部を有する細長い面を有しており、前記張力部材及び前記着脱可能な締結具の少なくとも一方をそこに通して連結することを特徴とする請求項１７に記載の首輪。
【請求項１９】
前記端部連結具の前記外面が、連結具の相互連結及び犬の首の周りに前記首輪を結び付けるのに役立つ摘み部を形成するように、細長い楕円形の凹部を有することを特徴とする請求項１８に記載の首輪。
【請求項２０】
前記ヒンジにより、前記ピンを中心とした前記連結具の回転が可能となり、
前記突起部が、回転の際の突起部の先端部の接触を防止するための止め部を有することを特徴とする請求項１１に記載の首輪。
【請求項２１】
前記突起部が、丸い先端部を有することを特徴とする請求項１に記載の首輪。
【請求項２２】
犬の訓練用首輪であって、
一緒に連結されて、反対端を有する連結鎖を形成する複数の着脱可能な相互連結具と；
前記連結鎖の前記反対端の間に結合されて首輪を形成する張力部材と；
前記張力部材と前記連結鎖の反対端の少なくとも一方との間で着脱可能に連結される着脱可能な締結具と；
を具えており、
前記相互連結具のそれぞれが内側及び外側を有し、前記内側が前記内側から離れるよう延びる１対のＶ形突起部を有し；
複数のＶ形突起対を有する前記連結鎖が、前記内側から延びるよう間隔を空けた関係で配置される２列のリンクを形成し；
これによって、前記連結鎖が、前記Ｖ形突起部が首に向いた状態で犬の首の周りに配置され、前記着脱可能な締結具によって前記張力部材に連結されて、装着した場合に前記張力部材の調整により身体的矯正を前記首に与えるように、前記首輪を形成し、
前記犬の首の大きさに応じて、相互連結具の数によって前記複数の着脱可能な相互連結具を調整することができ、
前記犬の首の大きさが変わる場合に、前記相互連結具の数を調整して新たな首の大きさに対応し、
捩れ防止器具が前記張力部材に結合され、これによって前記捩れ防止器具が、前記犬の首に付けた場合に、前記首輪の意図しない捻れを戻し、
前記張力部材が、リングと、前記着脱可能な締結具及び前記連結鎖の少なくとも一端に移動可能に連結されたロープの輪と、を有しており、前記ロープが、前記リングに加わる引張力により前記リング、前記着脱可能な締結具及び前記連結鎖の少なくとも一端の間に張力が伝わるように、前記リングに連結された端部を有しており、前記少なくとも一端を引き付ける力を前記ロープを通して前記着脱可能な締結具に加えて前記身体的矯正を引き起こし、
前記連結具のそれぞれが、第１及び第２の端部間で本体フレームの対向側部から且つ前記内側から離れるよう延びる間隔を空けた２つのＶ形突起部を支持する厚形の本体フレームに結合される第１の端部及び第２の端部を有しており、
各連結具の前記第１の端部が、前記本体フレームから離れるよう延びる２つのアームを有し、各アームが、金属ピンの負荷を支持するための広がった丸い自由端を有しており、
金属ピンコネクタが、前記広がった丸い自由端の間を延びており、前記アームの前記広がった丸い自由端の中央に位置する開口部を通して摩擦嵌合により前記自由端に結合し、
各連結具の前記第２の端部が、別の連結具の補完的な第１の端部のピンを受容するためのフック突起部を有しており、
前記突起部が、前記突起部の外周面の周りを延びる互いに間隔を空けた関係のリブを有しており、前記リブが、前記フックの外周面の周りを延びており、
前記フック突起部が、前記第１の端部の前記アーム間を摺動するよう通る幅を有し、溝部がヒンジを形成する場合に前記第１の端部のピンが通り得る溝部を有しており、
前記溝部の入口部が、前記溝部から前記ピンが予期せずに抜け出るのを防止するようわずかに狭く、
前記連結具が、射出成型されるプラスチックで作製され、前記ピンが、鋼で作製され、
前記連結具の前記外側が、連結具の相互連結に役立つ摘み部を形成するように、凹んだ凹部を有しており、
前記連結鎖の前記反対端がそれぞれ、前記張力部材及び着脱可能な締結具への連結を強化するための端部連結具を有しており、
前記端部連結具のそれぞれが、前記第１及び第２の端部の間で、本体フレームの対向側部から且つ前記内側から離れるよう延びる、間隔を空けた２つのＶ形突起部を支持する厚形の本体フレームに結合される前記第１の端部及び第２の端部の少なくとも一方を有しており、
前記端部連結具のそれぞれが、さらに、前記厚形の本体フレームに結合される張力部材繋ぎ部と、反対側の前記第１の端部及び第２の端部の少なくとも一方とを有しており、
前記張力部材繋ぎ部が、開口部を有する細長い面を有しており、前記張力部材及び前記着脱可能な締結具の少なくとも一方をそこに通して連結し、
前記端部連結具の前記外面が、連結具の相互連結及び犬の首の周りに前記首輪を結び付けるのに役立つ摘み部を形成するように、細長い楕円形の凹部を有することを特徴とする首輪。
【発明の詳細な説明】
【技術分野】
【０００１】
本発明は、概して改良型の犬の首輪に関し、特に、相互連結具を具えた改良型の犬の首輪に関する。
【背景技術】
【０００２】
犬の訓練用器具として販売されている多くのタイプの首輪があるが、犬の態度を持続的且つ効果的に変えるものは少ないことが分かっている。最近の多くの首輪は、基本的に真の矯正的な特質が欠けている消極的な訓練方法に目を向けている。
【０００３】
現在販売されている従来型の犬の訓練の特質を具えた首輪は、Ｐｉｎｃｈ又はＰｒｏｎｇカラーとして知られている。Ｐｉｎｃｈカラーは、概して全金属製の首輪である。しかしながら、Ｐｉｎｃｈカラーには欠点がある。
【０００４】
１つの欠点は、このようなＰｉｎｃｈカラーの鎖状の連結具が取り外せないよう内部連結され、又は材質である金属の柔軟性の無い特性により、取り外し且つ再び取り付けるのが非常に難しいことである。多くの高齢者又は幼い子どもは、このような連結具を取り外し又は取り付けるのに苦労する。
【０００５】
別の欠点として、着脱可能な連結具を具えたＰｉｎｃｈカラーは、組み立てるのに非常に煩わしいことである。このような煩わしさの原因となる１つの課題は、使用者が連結具を組み立てる際に首輪の向きが変わってしまうと、多くの使用者が逆方向に向いた連結具を取り付けたままにしてしまうことである。このような状況を直そうとすると、連結された鎖の一部が完全に逆になり、正しい連結具が少なくとも１８０度捻れて間違った位置に来てしまい、さらに混乱を引き起こして首輪の扱いを間違えてしまう。
【０００６】
さらに別の欠点は、首輪を犬の首に付けた場合に、多くの使用者が下方の連結鎖を不注意に捻ってしまい、これによりＰｉｎｃｈカラーがきつくなって、空気の流れが制限されることにより犬を危険にさらす可能性がある。またこれにより、鎖を連結する機能が遮断されＰｉｎｃｈカラーが適切に機能しなくなる。鎖の連結片が回転する場合又は捻られる場合、連結された突起部の列の端部の穴を通って滑らかに摺動しない。
【０００７】
最後に、Ｐｉｎｃｈカラー及び一般的な金属製の首ひもを用いる際にさえも見られる社会的な不名誉の欠点がある。多くの者は、Ｐｉｎｃｈカラーが中世のトルク装置のように見えるとコメントするであろう。それは、Ｐｉｎｃｈカラーに見た目に対するこれらの反射的反応であり、これにより、多くの者が犬に訓練を目的としてこのような首輪を装着しなくなる。
【０００８】
従来の金属製のＰｉｎｃｈカラーを改良するための試みがあり、例として、首輪が実質的にプラスチック部品を有する複数の相互連結される首輪の構成要素で形成される。その意図する目的に適合させ、従来のＰｉｎｃｈカラーの欠点のいくつかに取り組む一方、このような首輪は全ての欠点に取り組んでいるわけではない。例えば、このような首輪は、犬に首輪を付ける場合に首輪を捻る問題に取り組んでいない。さらに、このような首輪は、犬の首に装着し又は取り外すための相互連結する構成要素の日々の結合及び取り外しに依存する。結果として、長い期間使用することで内部連結のプラスチック部分の不必要な摩耗が生じる。さらにある者は、特に犬が訓練の初期段階にある場合に、適切な使用のために快適なフィットを要し、犬が頭を振って引き離そうとすることによって首への首輪の取り付けに抵抗するならば、首輪が犬の首の周りにあって構成要素を相互連結しようとする場合に、混乱及び難しさを経験する可能性がある。
【０００９】
このため、従来のＰｉｎｃｈカラーの全ての欠点に取り組み、犬の首に容易に取り付けられ、組み立て及び連結が簡単で魅力的な外観を有する首輪が必要とされている。
【００１０】
このため、犬の態度の持続的変化をより効果的に作る訓練用首輪の態様を改良するための方法が必要とされている。
【発明の概要】
【００１１】
犬の訓練用首輪が、一緒に連結されて反対端を有する連結鎖を形成する複数の着脱可能な相互連結具を有し、張力部材が連結鎖の反対端の間に結合されて首輪を形成する。張力部材と連結鎖の反対端の少なくとも一方との間で着脱可能に連結される着脱可能な締結具を有する。相互連結具のそれぞれが、内側及び外側を有し、内側が内側から離れるよう延びる１対のＶ形突起部を有する。連結鎖が、内側から延びるよう間隔を空けて配置される２列のリンクを形成する複数のＶ形突起対を有しており、連結鎖が、Ｖ形突起部が首に向いた状態で犬の首の周りに配置され、着脱可能な締結具によって張力部材に連結されて、装着した場合に張力部材の調整により身体的矯正を首に与えるように、首輪を形成する。
【００１２】
犬の首の大きさに応じて、連結具の数を調整し得る。
【００１３】
捩れ防止器具が、張力部材に結合されており、捩れ防止器具が、犬の首に付けた場合に、首輪の意図しない捻れを戻す。
【００１４】
連結鎖のそれぞれが、第１及び第２の端部間で本体フレームの対向側部且つ内側から離れるよう延びる間隔を空けた２つのＶ形突起部を支持する厚形の本体フレームによって結合される第１の端部及び第２の端部を有する。
【００１５】
各連結具の第１の端部が、本体フレームから離れるよう延びる２つのアームを有しており、各アームが、金属ピンの負荷を支持するための広がった丸い自由端を有する。金属ピンコネクタが、広がった丸い自由端の間を延びて、アームの広がった丸い自由端の中央に位置する開口部を通して摩擦嵌合により自由端に結合する。
【００１６】
各連結具の第２の端部が、別の連結具の補完的な第１の端部のピンを受容するためのフック突起部を有している。突起部が、突起部の外周面の周りを延びる互いに間隔を空けた関係のリブを有しており、リブが、フックの外周面の周りを延びる。
【００１７】
連結鎖の反対端がそれぞれ、張力部材及び着脱可能な締結具への連結を強化するための端部連結具を有する。端部連結具のそれぞれが、第１及び第２の端部の間で、対向する本体フレーム側部から且つ内側から離れるよう延びる、間隔を空けた２つのＶ形突起部を支持する厚形の本体フレームに結合される第１の端部及び第２の端部の少なくとも一方を有する。端部連結具のそれぞれが、厚形の本体フレームに結合される張力部材繋ぎ部と、反対側の第１の端部及び第２の端部の少なくとも一方とを有する。
【図面の簡単な説明】
【００１８】
本発明の他の形態、利点及び新たな態様が、添付図面とともに考えた場合に本発明の以下の詳細な説明からより明らかとなろう。
【００１９】
【図１】図１は、本発明に係る犬の訓練用首輪の斜視図である。
【図２】図２は、本発明に係る相互連結具の分解斜視図である。
【図３】図３は、本発明に係る相互連結具の平面図である。
【図４】図４は、本発明に係る別の連結具に相互連結される部分的な連結具の分解等角図である。
【図５】図５は、本発明に係る連結具の正面図である。
【図６】図６は、本発明に係る捩れ防止締結具に着脱可能に連結された端部連結具の上部斜視図である。
【図７】図７は、本発明に係る張力ひもに連結された端部連結具の下部斜視図である。
【図８】図８は、本発明に係る、引っ張られた状態と引っ張られていない状態の犬の首に接触する相互連結具を有する首輪の概略図である。
【図９】図９は、本発明に係る別の連結具に相互連結された連結具の部分の側面斜視図である。
【図１０】図１０は、本発明の別の実施例に係る別の連結具に相互連結された連結具の部分の側面斜視図である。
【図１１】図１１は、本発明の別の実施例に係る別の連結具に相互連結された連結具の部分の側面斜視図である。
【発明を実施するための形態】
【００２０】
具体例として図面を参照すると、本発明は、犬の訓練を改良して犬の態度の持続的変化を効果的に作り出す態様を有する犬の訓練用首輪２０（図１）で実施される。犬の出生時からの犬の社会的影響の簡単な試験は、母犬との関係にある。子犬に与える母犬の身体的及び感情的安らぎとともに、母犬は身体的に矯正することで子犬を支配して尊敬を得る。これと同じような過程に従って、首輪の締め付け性能及びＶ形の矯正用突起部を通して、犬の首に大きさを変えられる身体的矯正を与えることによって、本発明は身体的矯正を使用する。首輪の各連結具２２は、力を与えない場合に犬の首の上に載る２つのＶ形の突起部２４及び２６を有する。張力部材２８に連結された鎖を引っ張ることによって力が加えられると、Ｖ形の突起部２４及び２６（又は歯部）が犬の首を掴んで注意を引き、注意を引いた状態を保つ。これは、矯正された態度を母犬が得るために用いるのと同じタイプの矯正である。このような機能を実行するために、本発明の首輪は、相互連結された複数の連結具２２を有しており、それぞれの連結具はＶ形の突起部２４及び２６を有し、各連結具２２はヒンジピン３０を中心として互いにヒンジで動くよう連結され、複数の連結具２２が、反対端が張力部材２８に連結して連結具２２を十分に大きくしたり小さくしたりできる大きさの環状の首輪を形成し犬の首の周囲にぴったり合う一連の連結具３２を形成する。張力部材２８は、首輪２０と鎖（図示せず）との間の十分な力に応じて首輪の周囲を拘束するよう機能する鎖状の連結環３４を有する。都合良いことに、首輪は、張力部材２８を連結具３２と絡み防止器具３６の少なくとも一方の端部に着脱可能に連結して首輪２０の望ましくない捻れを防止し及び／又は元に戻す着脱可能な締結部３５を有する。さらに、首輪の外側は、首輪の矯正機能を覆うような又は隠すような大きさ及び形状である。
【００２１】
現状のところ好適な実施例では、張力部材２８は、連結鎖の少なくとも一端の連結具４０及び４１の開口部３８と、絡み防止器具３６に設けられた開口部４２とに通されて受容されるナイロンロープ３２といったものであるが、これに限定されない環状のケーブルでできている。犬と訓練者との間に発生する負荷を保持するためのワイヤーロープ又は他の材料を使用してもよいことに留意されたい。また、このような好適な実施例として、張力部材２８は矯正ロープとすることができる。好適な環状ロープは、連結環３４に連結される自由端４４及び４６を有するストランドで形成されている。連結環３４は、好適には、訓練を受ける際に犬と訓練者との間に加わる力によって変形しないように十分に頑丈であり、金属又は他の硬質材料でできているが、好適には、クロームメッキされた鋼である。連結環３４は、鎖状締結部（図示せず）をそれに連結し得るような大きさであるとともに、環状の拘束態様を要して鎖状締結部を使用できない場合に、人間の指で掴むことができる。連結環３４の内側に最大限のスペースをさらに可能とするために、ナイロンロープの自由端４４及び４６が、連結環に巻き付いてぴったりと適合する織物のストリップ５０及び５２を介して連結環に結合しており、当該ストリップの自由端がロープに巻かれて十分な強さの縫い目を介してロープに固定され人間と犬との間の力に抗する。
【００２２】
好適な実施例では、捩れ防止器具３６及び着脱可能な締結具３５が、１つの器具として一体となっている。このような目的に適したタイプの器具は、旋回する回動部６０を介して「パチンと」閉じるバネで付勢された留め金５８を有するフック５６に連結された閉じた開口部４２を有する旋回スナップフックである。張力部材２８のケーブルが、閉じた開口部４２を通して摺動し、フック５６が連結鎖３２の端の連結具４０又は４１の開口部６１に着脱可能に結合する。このような旋回スナップフックは、人間と犬との間に加わる力に十分に抗する材料で構成する必要がある。捩れ防止器具及び着脱可能な締結具を互いに別々になった他の構成が可能であることが、当業者に理解されるであろう。さらに、捩れ防止器具の機能を、捻れを戻す端部を旋回させるための従来の器具で提供し得る。同様に、従来の着脱可能な締結部を使用して、張力部材を連結鎖の自由端に結合し得る。
【００２３】
図２を参照すると、各相互連結具２２ａが、薄型本体フレーム６４に結合された第１の端部６０及び第２の端部６２を有しており、薄型本体フレーム６４は、第１及び第２の端部６０及び６２間で対向する本体フレームの側部６４及び６６から延びる、間隔を空けた２つのＶ形突起部２４及び２６を支持する。犬の首に接触するＶ形突起部２４及び２６は、矯正させる動きを与える。各連結具２２の第１の端部６０は、本体フレーム６４から延びる２つのアーム６８及び７０を有しており、各アーム６８及び７０は、広がった丸い自由端７２及び７４を有しており、広がった自由端の間を延びるよう広がったアームの自由端の中央に配置された開口部７８を通って自由端７２及び７４を摩擦結合によって連結する金属ピンの結合部７６の負荷を支持する。
【００２４】
各連結具２２ａの第２の端部６２は、別の連結具２２ｂの補完的な第１の端部６０のピン７６を受容するためのフック突起部８０を有する。互いに間隔を空けたリブ８２−８４が、リブ８２−８４がフックの周りを延びるように、フック８０によって形成された外周を大きくする。リブは、リブが（１）動物を引っ張る負荷を受けるとフックの強度を強くしてピンを固定する、（２）首輪全体の外観に装飾的な強化を与える、（３）間隔を空けた部分が、動物の首と首輪との間にこもった熱を交換するためのさらなる排出を提供する、という点で３つの機能を与える。フック８０は、第１の端部のアーム６８及び７０を通るための幅を有しており、第１の端部のピン７６が通ってヒンジ取り付けされる溝部８６を与える。溝部８６の入り口８８は、ピン７６の溝部８６からの予期しない飛び出しを防ぐためにわずかに狭い。矢印９０で示す方向にピン７６を向けることで、使用者によってピン７６が通路８６の入り口８８を通って「スナップフィット」され、動物の首の周りで使用するために溝部８６に固定される。このため、端部から端部に配置するよう構成される場合に、相互連結具２２の取り付け部によって首輪が形成され、さらには、図１に示す連結具の鎖３２を形成する。
【００２５】
図３を参照すると、上から観た場合の１つの連結具２２が、凹んだ凹部９２を有しており、連結具の上部につまみを与え、向き及び惑わしによって首輪に装飾的な強化を与える。このようなつまみ又は凹部９２は、使用者が連結具をうまく掴むができるようにすることで、使用者が連結具を互いに取り付けし又は外すのを補助する。また、凹んだ構成により、良い美観を首輪全体の外観に与える。さらに、リブの空間によって与えられる隙間９４及び９６を通した排気が、より明確に示される。
【００２６】
図４を参照すると、略同一面上で補完的な第１及び第２の端部６０及び６２によって連結された１組の連結具２２ｘ及び２２ｙが、いずれの方向も９０度よりも大きな範囲の回転運動を有する。このような運動範囲は、首輪を格納する場合にコンパクトさを与え、様々な大きさの動物の首を支持するための大きな範囲を与える。さらに、移動範囲が延びることにより、フック８０を中心としたピン７６のさらなる回転を止めるために大きくなった表面を与えた状態で、止め部９８をフック８０の近くに適合させ得る。大きくなった表面は、止め部９８で、ピン７６を支持する大きくなったアームの表面を支持する。例えば、踏み付けられることによってヒンジの負荷が大きくなると、力が止め部９８とアーム６８及び７０の間を伝わるように、大きくなったアームの表面が重量を共有することで、首輪に損傷を与える可能性を減らす。
【００２７】
図５を参照すると、第１の端部から観た連結具の側面図が、図２に示すように両端部から先細になっているが、角度φで本体フレーム６４から内側にも先細になっているＶ形の突起部２４及び２６の構成を示す。先細になった厚みが、本体フレームの近くで突起部２４及び２６により大きな構造的支持を与え、立ち止まったといった場合の突起部への予期しない力により首輪にダメージを防止するのを助けるが、歯の自然なテーパにより自然に従う傾斜面１００を形成することで、母犬の身体的矯正の矯正感をより厳密に模倣する。さらに、首輪が突起部間に空気チャンバ１０２を与えることで、動物の首と首輪との間の熱を軽減するのを助けることにも留意されたい。突起部は、犬の門歯に比例する本体フレームからの概略的な高さを有する。以下に詳細に説明するように、首輪及び犬の首に対する２つの距離の変化を有する。これは、まず空気循環のための空気ギャップを与える突起部と本体フレーム６４との間の距離１０４で、そして本体フレーム６４と本体フレーム６４の上方のフックのリブを延ばした場所１０８間の距離１０６である。
【００２８】
図６及び７を参照すると、相互連結された各鎖が、張力部材に連結具の鎖３２を連結するよう構成された端部連結具４０及び４１を終端とする。各端部連結具は、間隔を空けた２つのＶ形突起部１１２及び１１４が突出する厚い本体フレーム１１０と、張力部材２８に連結する開口部１１８を有する細長い張力部材の繋ぎ部１１６と、端部連結具４０及び４１と相互連結具２２とを簡単に区別する細長い凹んだ凹部１２０とを有しており、改良型のつまみを与える。端部連結具のそれぞれが、第１又は第２の相互連結具のいずれかに補完的な一端を有することで、連結具の鎖の各端部が、張力部材の繋ぎ部１１６を有する端部連結具を確実に終端とする。限定するわけではなく具体的として、波形のフック１２４を具えた第２の端部１２２を有する端部連結具４１を図６に示しており、端部連結具４１の開口部１１８に受容される旋回スナップフック１２４に連結される。同様に図７で、外側に延びて広がった丸い端部１３２−１３３を形成してピン１３４を支持するアーム１２８及び１３０を具えた第１の端部１２６を有する補完的な端部連結具４０が、張力部材２８を形成する収縮ロープ１３６に連結されている。端部連結具が張力部材に着脱可能に又は非着脱的に取り付けられることに関して、端部連結具４０及び４１を交換できることが、当業者にとって理解されるであろう。
【００２９】
犬に首輪を付け又はそれを外すために、簡易着脱スナップを端部連結具の穴から着脱し得る。首輪を使用するために、犬のリードを張力部材の連結環に取り付け得る。使用中に、犬を連れている人間と犬との間のリードを通して加わる張力により、首輪が動物の首の周りを締め付けることで、犬の首に身体的矯正力が発生する。
【００３０】
図８を参照すると、リブの外面によって形成された丸くなった隆起部１４４間に挟まれた複数の突起部１４２を具えた、相互連結具１４０の一部の概略を示す。首輪及び犬の首に張力が加わっていない場合の首を示すライン１４６によって犬の首を図示する。張力を受ける犬の首をライン１４８で示しており、リブに形成された隆起部１４４とともに突起部１４２の間隔により、犬の首に凹凸（ライン１４８）が生じる。突起部及びリブの間隔は、母犬から子犬が受ける自然な身体的矯正を模倣する別の態様を与えると見られている。さらにこの凹凸は、犬の首を締め付けて息苦しくさせる影響を防止するような方法で、首の皮膚への身体的矯正効果を強化するように、首の皮膚を伸ばすよう機能する。
【００３１】
図９を参照すると、現在のところ好適な実施例では、ヒンジピン３０を支持するフック端部６２及び補完アーム端６０を用いてヒンジを形成するよう連結される突起部２４を具えた２つの連結具２２を用いて回転移動が発生することに留意されたい。矢印２００及び２０２で示すヒンジピン３０を中心とする回転により、先端部２０４及び２０６が接触する関係で突起部の回転が可能となる。先端部の接触を防止するために、２つの連結具３２２で示す代替的な実施例（図１０）が、フック端部３３２及びヒンジピン３３０を支持する補完アーム端３２８を用いてヒンジを形成するよう連結された突起部３２４を有する。各突起部は、さらに、止め部３３４及び３３６を有する。矢印３３８及び３４０で示すようなヒンジピン３３０を中心とする回転により、突起部３２４の先端部３４２及び３４４が間隔を空けたままの状態で、補完的な止め部３３４及び３３６の接触により回転が止まるまで、補完的な突起部の回転が可能となる。このような構成は、小さな径の首を有する犬に首輪を使用する場合に、首の皮膚を挟んでしまうことから保護し得る。最後に、図１１を参照すると、突起部の先端が接触することを防止し、敏感な皮膚を有する犬への刺激を減らすために、フック端部４３２及びヒンジピン４３０を支持する補完アーム端部４２８を用いてヒンジを形成するよう連結された突起部４２４を有する２つの連結具４２２（図１０）で示す代替的な実施例を示す。各突起部は、さらに、止め部４３４及び４３６を有する。矢印４３８及び４４０で示すヒンジピン４３０を中心とする回転により、突起部４２４の先端部４４２及び４４４が間隔を空けたままの状態で、補完的な止め部４３４及び４３６の接触により回転が止まるまで、補完的な突起部の回転が可能となる。このような構成は、小さな径の首を有する犬に首輪を使用する場合に、首の皮膚を挟んでしまうことから保護し得る。さらに、突起部の先端部４４２及び４４４は丸くなっており、敏感な犬への刺激を減らした上で、適切な身体的矯正を与える。止め部と関連して図示する一方、止め部の無い実施例で丸い先端部を使用し得ることに留意されたい。
【００３２】
着脱可能な連結具は、連結具が作られるプラスチックの柔軟な性質のため、手の力が弱い者がより簡単に着脱し得ることが理解されよう。好適には、連結具は、プラスチックの射出成型で作製され、この場合、このような目的に適したポリマーのタイプは、Ｓｕｐｅｒ−Ｔｕｆｆ  Ｎｙｌｏｎ  ｓｏｌｄ  ｂｙ  ＤｕＰｏｎｔ  ｏｆ  Ｗｉｌｍｉｎｇｔｏｎ，ＤＥ，ＵＳＡといった適切なブランドのナイロン１００％である。
【００３３】
連結具の上部又は外側の装飾的な凹んだデザインが外観の連続性を形成し、適切な方法で連結するよう連結具を保持する際に使用者を補助することが理解されよう。
【００３４】
さらに、好適な首輪が、捩れ防止器具を使用することで、犬の首の周りに付けた場合の首輪の不注意な捻れを解決し、捩れ防止器具を使用することで適切なサイズの首輪を犬に対して着脱する場合に、不適切な位置に首輪を捻るのをほぼ不可能にすることで、犬への給気を誤って遮断してしまう可能性を減らす点で、本発明の首輪がより安全となる。
【００３５】
さらに、着脱可能な首輪の締め付け具が相互連結具の摩耗を減らし、最初に犬のサイズに合わせると、犬に首輪を付けるために相互連結具自身を互いに着脱する必要がない。着脱可能な締め付け具を連結端の穴から簡単に着脱することによって、一般の人間が首輪を簡単に着脱し得る。これにより、連結具の着脱を繰り返すことでフックを形成する溝部への狭い入り口を磨り減らしてしまう障害を減らす。
【００３６】
首輪のサイズを調整する限り、１つのサイズで売られており様々なサイズの様々な犬に効果的に使用できない標準的な金属製の首ひも首輪と比較して、本発明の首輪は、連結具を加えるか又は取り外すことによって、サイズを大きくしたり小さくしたりできることが理解されよう。またこれは、急速に成長する子犬を訓練する場合に役立つため、子犬が成長するにしたがって複数の首輪を購入する必要が無くなる。
【００３７】
本発明の首輪は、そのプラスチックの中身及び装飾的な外観により、落ち着いた見た目でより魅力的な首輪であるため、従来の矯正首輪に起因する社会的に不名誉な問題を解決する。
【００３８】
本発明を典型的な実施例の観点から説明したが、本発明をそれに限定するものではない。むしろ、添付の特許請求の範囲は広く解釈すべきであり、本発明の範囲及び本発明に相当するものから逸脱することなく当業者が行い得る本発明の他の改良及び実施例を含んでいる。
【図１】
2011515090.tif 000003
【図２】
2011515090.tif 000004
【図３】
2011515090.tif 000005
【図４】
2011515090.tif 000006
【図５】
2011515090.tif 000007
【図６】
2011515090.tif 000008
【図７】
2011515090.tif 000009
【図８】
2011515090.tif 000010
【図９】
2011515090.tif 000011
【図１０】
2011515090.tif 000012
【図１１】
2011515090.tif 000013
【国際調査報告】
2011515090.tif 000014
2011515090.tif 000015